(57)【要約】【課題】従来の製品は前述したように夫々のシステムに当該製品の普及を妨げる欠点があった。光フアイバー方式は採光効率が低く、それをカバーする為設備が大きくなり、高価となった。反射鏡方式の太陽方向追尾方式の装置もコストが高く、採算が取れない製品であり、その他のシステムも採光率の低さやダクトの据え付けコストが高い等の問題があり，問題の無い普遍的な製品は存在していなかった。その為に省エネルギ−装置であるにも関わらず、設置コストが高い為に、普及が進展していなかった。【解決手段】前記の問題を解決する為に、太陽追尾装置を不要とし又構造も簡略化して必要部品を少なくして、装置の製造コストを下げたものである。【選択図】図１  図２  図３  図４
2013149581.tif 000002
【特許請求の範囲】
【請求項１】
円球ドーム内中央に二分割した平面反射鏡を設けた図１の集光部の構造。
【請求項２】
円球ドーム内中央に二分割し且つ小さな多数の平面反射鏡を設けた図２の  集光部の構造。
【請求項３】
前記の反射鏡の替わりに円球ドーム内面に沿ってプリズムシート又はフレネルレンズ及び補助反射鏡を設けた図３の集光部の構造。
【発明の詳細な説明】
【技術分野】
【０００１】  本発明は、太陽光を直接建物の室内へ転送する、太陽光採光装置の集光部の構造であり、透明ドーム内に反射鏡やプリズムシート等を設けた、簡単な集光装置で受光した太陽光を内面アルミニューム鏡板のダクトやパイプを通じて、建物の室内に自然光を導入する為の集光部構造である。
【背景技術】
【０００２】  既存の太陽採光装置の直接採光式の集光部は（イ）反射鏡を設けて、この反射鏡が太陽の方向を追尾する方式と（ロ）太陽光を追尾しない、固定した集光部から内部鏡面仕上げのダクト経由で室内に自然光を転送するシステム等がある。尚直接採光方式以外では光フアイバーに太陽光を転送し、建物室内照明に利用するシステムもある。
【発明の概要】
【発明が解決しようとする課題】
【０００３】  前記の既存のシステムで現実的な価格の製品はすべて外国製であり、国産品にはこのような製品が無かった。従って輸入品は輸送コストもかかり、日本に於いては割高になり普及の障害になっていた。その為に採算性のある国産の太陽光採光装置の開発は、今後の日本の電力事情から考えても、検討されなければならない課題であった。【０００４】  自然エネルギーの利用は地球の環境問題の改善の点からも又、福島原子炉の事故以後、我国は電力不足の問題を抱えその対策を急がされており節電と自然エネルギ−の利用は社会が求める重要な課題である。
しかしながら、現在推進されている太陽発電等には高コストの問題がある。
又太陽光の採光装置のコストも非常に高く採算性が無い。
既存製品は過剰な設計や据え付けの不便さ、回収光量の少なさ等多くの欠点を持った未成熟な製品であり、その結果として既存の太陽光採光装置は一般的な普及が進展していない。
従い、低コストの信頼性ある太陽光採光装置の開発により、太陽光採光装置を広く社会に普及させ前記問題の解決対策の一部に寄与する事が本発明の目的である。【０００５】  本発明は前記事情を考慮し、既存の問題点を解決し、採算性のある価格で簡単に設置出来る太陽光採光装置を提案するものである。
【課題を解決するための手段】
【０００６】    本発明は前述した既存製品の欠点を改良する為に、太陽の追尾を省略し、装置全体をより簡単な構造とした。
太陽の追尾を不要とする為に太陽の動きを詳細に分析して、一年を通じて充分な採光が可能なようにする為に最も簡単な集光部の構造を考案した。
ドーム型の太陽光受光部内に特殊な形状のプリズム又は反射鏡を設け、角度や方位の異なる太陽光を適切に下部の採光装置本体に送り、内部アルミニューム鏡面のダクトやパイプを通じて、室内へ太陽光を転送する。
尚、集光部以降の光転送のダクトやパイプは既存の物を採用するので、本説明からは省略した。
【発明の効果】
【０００７】    本発明により既存の製品にあった問題点が解決される。
既存の製品はともすれば、殆ど採算性の無い特殊な需要に支えられた小規模な採用に留まっており工業、商業分野の採用は限定的であったが低コストの製品は市場を拡大する可能性があり、より環境、節電対策に貢献出来る。
本発明採用による省エネルギーは自然光を室内照明に利用し、晴天の日中相当時間、電気照明を消し、節電するものである。
【図面の簡単な説明】
【００８】
【図１】反射鏡式集光部１の断面図である。
【図２】反射鏡式集光部２の断面図である。
【図３】プリズムシート式（又はフレネルレンズ式）集光部の断面図である。
【図４】図３の上面図である。
【発明を実施するための形態】
【００９】  以下図１、図２、図３、図４を参照して、本発明に関わる太陽光採光装置について説明する。
図１、２は１受光ドーム（透明部）、２平面反射鏡、３集光部本体（内面反射鏡部）、で構成される。
図３は図１及び２の２反射鏡の替わりに４プリズムシート（又はフレネルレンズ）をドーム内面に沿って設け又５補助反射鏡を設けたものである。
【００１０】  図１の場合、太陽光は球面状ドームの１受光ドーム（透明部）から入光するが、太陽高度の低い時間帯は入射光はドーム中央の２平面反射鏡（二分割でドーム左側、右側に夫々設けられる）で角度を変え下部の３採光装置本体へ転送される。
午前中はドーム左側、午後は右側から入光するのでドームを回転させる必要が無い。
又太陽高度の高い時間帯はドーム上部から入光するが反射鏡は上部からの光を遮断する事無く受光する。又装置本体も側面はアルミニューム鏡面仕上げの為、光は屈折して、本体に結合された、アルミニューム鏡面仕上げのダクトやパイプに転送され、又は直接に太陽光は、建物内に転送され室内照明に利用される。
図２は中央の２平面反射鏡を一枚の物から短冊形にし、小さな反射鏡の組み合わせとしたものである。
図３は２平面反射鏡の替わりに４プリズムシート又はフレネルレンズをドーム内面に沿って設けて、ドームの北方向には５  補助反射鏡を設けた。
太陽高度の低い位置では４のプリズムシートは図１，２と同じく二分割されているので午前中は左側、午後は右側から入光し光の角度を変えて、下部３集光部本体へ転送される。太陽高度が高い場合はドーム中央に設けられた、空間部から採光し、図１と同じく障害無く受光出来る。又図３−５の補助反射鏡は太陽高度の高い場合の採光量を増加させる。
【００１１】  通常の太陽光採光装置は採光量を増大させる為に太陽の追尾（方位、高度）が不可欠であるが、年間の太陽の動きを詳細に解析し、又装置の構造を考案する事で、前記装置を不要にした事が本発明の主要点である。
【産業上の利用可能性】
【００１２】  前述したように太陽光採光装置は産業界の省エネルギー対策として大きな可能性を持っている。
低コストの太陽光採光システムは工場、大規模商店、船舶、学校等の公共施設等多くの採用の可能性があり節電及びＣＯ２削減対策となる。
又船舶のＮＯＸ，ＳＯ，ＣＯ２削減は必須となっているので陸上設備と共に、幅広い利用が産業界で見込める。
【先行技術の開示及び対比説明】
【００１３】  （１）文献名：
文献１：ウエブサイト：ｗｗｗ．ｓｕｎ．ｏｒ．ｊｐ
太陽光採光システム協議会
国産品の太陽光採光装置が紹介されている。
（２）対比説明
既存の技術による製品は夫々一長一短があり省エネルギー対策としての投資採算        性に欠けたり、用途が限定されたりの理由で広く普及する為の要因に欠ける。
本発明は、如何に簡単な構造で採光容量を増やし投資コストを下げるかに知恵を        絞ったものである。
前記文献１や太陽光採光協議会で発表されている、各種のシステムを見れば既に        本項で度々説明した基本点、複雑な構造による高価さや用途が限定される製品群        である事が良く理解出来る。
これ等既存製品と比較し、本発明は集光装置の構造の簡単さにより明確にコスト        ダウンの可能性を示している。
【符号の説明】
【００１４】１．受光ドーム（透明部）、
２  平面反射鏡
３  集光部本体（内面反射鏡部）
４  プリズムシート又はフレネルレンズ（図３，４）
５．補助反射鏡（図３，４）
【図１】
2013149581.tif 000003
【図２】
2013149581.tif 000004
【図３】
2013149581.tif 000005
【図４】
2013149581.tif 000006